(57)【要約】【課題】シンクに取り付けるピンに起因した水漏れ事象を極めて有効に防止する。【解決手段】デッキ部４１を有するシンクと、頭部１１を備え、シンクのデッキ部４１を貫通するピン１と、頂部２１と鍔部としてのシール部２２とを有する断面略ハット型で、頂部２１側からピン１に貫通されるベースプレート２と、このベースプレート２のシール部２２側に取り付けられ、シンクのデッキ部４１との間に挟まれるパッキン３と、シンクのデッキ部４１の裏側からピン１を締め付けるナット５と、から構成し、ナット５を締め付けて、パッキン３をベースプレート２のシール部２２の面全体でシンクのデッキ部４１に圧迫し、ピン１をシンクのデッキ部４１に固定する。【選択図】図１
2011052392.tif 000002
【特許請求の範囲】
【請求項１】
デッキ部を有するシンクと、
頭部を備え、前記シンクのデッキ部を貫通するピンと、
頂部と鍔部とを有する断面略ハット型に加工され、頂部側から前記ピンに貫通されるベースプレートと、
このベースプレートの鍔部側に取り付けられ、前記シンクのデッキ部との間に挟まれるパッキンと、
前記シンクのデッキ部を貫通した前記ピンを締め付けるナットと、
から構成され、
前記ナットの締め付けにより、前記パッキンが前記ベースプレートの鍔部の全体で圧迫される、
ことを特徴とするシンクへのピン固定構造。
【請求項２】
前記ピンの頭部の幅に比べ、前記ベースプレートの頂部の幅を小さくした、
ことを特徴とする請求項１に記載のシンクへのピン固定構造。
【請求項３】
請求項１又は請求項２に記載のシンクへのピン固定構造を備え、
洗剤等置き用収納体を、前記ピンの頭部、及び／又は、前記ベースプレートに係合させ、前記シンクの内壁面に着脱自在に垂設した、
ことを特徴とするシンクへの洗剤等置き用収納体固定構造。
【発明の詳細な説明】
【技術分野】
【０００１】
本発明は、シール性を高めて水漏れ事象を極めて有効に防止することが可能なシンクへのピン固定構造および、これを備えたシンクへの洗剤等置き用収納体固定構造に関する。
【背景技術】
【０００２】
洗剤等置き用収納体のシンクへの取付に関しては、従来、洗剤やスポンジ等のシンクまわりで使用するものを収納した洗剤等置き用収納体を、キッチンのシンク上面に載置するだけの安易な取り付けが多く、安定性が悪く、何らかの力が加わると洗剤等置き用収納体が倒れ、または、シンク内へ落ちるなどの問題があった。そこで、例えば、ゴムやプラスチックでできた吸盤のようなものを利用して洗剤等置き用収納体をシンク周辺の壁へ取り付けること、シンクに小物入れ用のポケットを形成すること、また例えば、下記特許文献１において提案の流し台シンクと称した発明が、このような問題を解決するものとして知られている。
【先行技術文献】
【特許文献】
【０００３】
【特許文献１】特開２００１−２１４４８６号公報
【０００４】
上記特許文献１に提案された流し台用シンクは、シンク本体の後壁面に、後方に湾曲した膨出部が設けられると共に、該膨出部の上端に連続したシンクの後側段縁部に、細径の首部を有する一対のピンが、所定の間隔を有して上方突設され、該ピンに、金属杆を屈曲して形成された小物入れ、あるいはまな板立てが係脱可能に係止されるようになされたもので、従来のようにシンクに小物入れ用のポケットを形成する必要がなく、シンクの構成が簡単になって製造が容易になるほか、衛生面での向上も図ることができるとしている。
【０００５】
ここで、図４に示すような従来のシンクへのピン固定構造において、シンクのデッキ部４１へピン１０を螺合などにより設ける際には、ピン１０の頭部１１０とシンクのデッキ部４１との間に、ピン１０の頭部１１０と直接接する切り板状のステンレス製のベースプレート２０と、このベースプレート２０に取り付けられるパッキン３とを挟み、デッキ部４１の裏側からナット５で締め付けてピン１０をシンクへ固定することが公知である。
【発明の概要】
【発明が解決しようとする課題】
【０００６】
しかし、上述の通りの固定構造とすると、ベースプレート２０が切り板状であるために、ナット５で締め付けたとき、ベースプレート２０上に、ピン１０の頭部１１０により荷重を受ける荷重領域２０１とピン１の頭部１１０により荷重を受けない非荷重領域２０２とが発生し、この荷重領域２０１と非荷重領域２０２の境界にてベースプレート２０が変形しやすくなるという問題があった。ベースプレート２０が変形すると、パッキン３をベースプレート２０の全面で圧迫することができなくなって、キッチンのシンクでは回避することが不可欠な水漏れのおそれ、すなわち、パッキン３のシール性に対する信頼感が低下するという問題が生じるため、これを回避すべく、強度確保のためにベースプレート２０の厚みを大きくしていて、コスト高になるという問題があった。
【０００７】
本発明は、上記実情に鑑み提案されたもので、パッキンのシール性を確実に高めて水漏れ事象を極めて有効に防止することが可能なシンクへのピン固定構造および、これを備えたシンクへの洗剤等置き用収納体固定構造を提供することを目的とする。
【課題を解決するための手段】
【０００８】
上記目的を達成するために、本発明に係るシンクへのピン固定構造は、デッキ部を有するシンクと、頭部を備え、前記シンクのデッキ部を貫通するピンと、頂部と鍔部とを有する断面略ハット型に加工され、頂部側から前記ピンに貫通されるベースプレートと、このベースプレートの鍔部側に取り付けられ、前記シンクのデッキ部との間に挟まれるパッキンと、前記シンクのデッキ部を貫通した前記ピンを締め付けるナットと、から構成され、前記ナットの締め付けにより、前記パッキンが前記ベースプレートの鍔部の全体で圧迫されることを特徴とする。
【０００９】
さらに、上記シンクへのピン固定構造において、ピンの頭部の幅に比べ、ベースプレートの頂部の幅を小さくすることが好ましい。
【００１０】
また、本発明に係るシンクへの洗剤等置き用収納体固定構造は、上記シンクへのピン固定構造を備え、洗剤等置き用収納体を、ピンの頭部、及び／又は、ベースプレートに係合させ、シンクの内壁面に着脱自在に垂設したことを特徴とする。
【発明の効果】
【００１１】
本発明に係るシンクへのピン固定構造は、頂部と鍔部とを有する断面略ハット型に加工され、頂部側からピンに貫通されるベースプレートを備え、このベースプレートの鍔部側にパッキンを取り付けて、ナットによってシンクのデッキ部の裏側からピンを締め付け、パッキンがベースプレートの鍔部の全体で圧迫されるものとしたので、ベースプレートを変形させないで鍔部の全体にてパッキンをシンクのデッキ部に圧迫することができるため、パッキンのシール性を確実に発揮させることができ、水漏れという事象を極めて有効に防止することができる。また、ベースプレートは、断面略ハット型にプレス加工することにより、自身の弾性により強度が向上し、ナットによる締め付け時に変形が起こりにくくなるという効果のほか、また、強度確保のために厚みを大きくする必要もなくなって、コスト低減にも寄与することが可能となる。
【００１２】
さらに、ピンの頭部の幅に比べ、ベースプレートの頂部の幅を小さくすれば、洗剤等置き用収納体をベースプレートの側壁部へ引っ掛けやすくなるほか、ナットの締め付ける力をそのまま鍔部に伝えることができて、鍔部の全面にてパッキンをより強い力で圧迫することができ、パッキンのシール性をさらに確実に発揮させることができて、水漏れという事象を極めて有効に防止することができる。
【００１３】
また、本発明に係るシンクへの洗剤等置き用収納体固定構造では、上記シンクへのピン固定構造による水漏れ事象の防止効果を備えて、洗剤等置き用収納体をシンクの内壁面へ着脱自在に垂設することができる。
【図面の簡単な説明】
【００１４】
【図１】本発明に係るシンクへのピン固定構造の一例を示す概略断面図である。
【図２】本発明に係るシンクへのピン固定構造の各構成部品を説明するため、シンクを背面側から視して説明する概略斜視説明図である。
【図３】本発明に係るシンクへのピン固定構造を備えた洗剤等置き用洗剤等置き用収納体固定構造の一例を示す概略斜視図である。
【図４】従来のシンクへのピン固定構造を示す概略断面図である。
【発明を実施するための形態】
【００１５】
以下、本発明に係る一実施形態について図面を参照しながら詳細に説明する。なお、図４に示した従来例と同一または相当部分については、同一符号を付して説明を省略する。
【００１６】
本発明に係るシンクへのピン固定構造は、図１および図２に示すように、デッキ部４１を有するシンク４と、頭部１１を備え、シンク４のデッキ部４１を貫通するピン１と、頂部２１と鍔部としてのシール部２２とを有する断面略ハット型で、頂部２１側からピン１に貫通されるベースプレート２と、このベースプレート２のシール部２２側に取り付けられ、シンク４のデッキ部４１との間に挟まれるパッキン３と、シンク４のデッキ部４１を貫通したピン１を締め付けるナット５と、から構成されている。そして、シンク４のデッキ部４１の裏側からナット５が締め付けられることにより、パッキン３がベースプレート２のシール部２２の面全体でシンク４のデッキ部４１に圧迫されて、ピン１がシンク４のデッキ部４１に固定されるものである。
【００１７】
特に、図１に示すシンクへのピン固定構造Ａでは、ピン１の頭部１１の幅としての直径を、ベースプレート２の頂部２１の幅よりも大きいものとしている。これは、ベースプレート２を断面略ハット型に加工する際に、貫通するピン１の頭部１１の幅（直径）を考慮して加工すれば可能である。これにより、洗剤等置き用収納体をベースプレート２の側壁部２３へ引っ掛けやすくなるほか、ナット５による締め付ける力をそのままシール部２２に伝えることができる。
【００１８】
ベースプレート２の加工は、頂部２１を矩形状に加工しても、図２のように円形に加工しても、その他の形状に加工してもよく、適用するシンク４の美感に与える影響を考慮して行えばよい。なお、例えば、プレス加工にてベースプレート２は、断面略ハット型に成型することができる。そして、ピン１の頭部１１の直径を、ベースプレート２の頂部２１の幅よりも大きいものとすれば、上述の効果が得られるため、好ましい実施形態となるものである。
このほか、適用するシンク４の美感に与える影響を考慮すれば、ベースプレート２のシール部２２側の大きさと、パッキン３の大きさとは、同等、例えば、同一にすることが望ましい。
【００１９】
また、本発明に係るシンクへの洗剤等置き用収納体固定構造は、図３に示すように、上述したシンク４へのピン固定構造Ａを備え、洗剤等置き用収納体、例えば、線材を加工して作られた洗剤等置き用カゴ６の上部外周枠６１を、ピン１の頭部１１の軸部１２側の面、及び、ベースプレート２の側壁部２３に係合させ（引っ掛けて）、シンク４の内壁面へ垂設し、洗剤等置き用収納体６をシンク４に固定するものである。
【００２０】
線材を加工して作られた洗剤等置き用カゴ６は、洗剤やせっけん、スポンジ、たわしなどのシンク４まわりで使用する小物類を収納して使用することが可能な大きさがあればよく、上部外周枠６１が線材で作成され、少なくともピン１のピン１の頭部１１の軸部１２側の面又はベースプレート２の側壁部２３に引っ掛けることができるものであれば、公知のものを使用することができる。
【００２１】
これにより、本発明に係るシンクへの洗剤等置き用収納体固定構造は、洗剤等置き用カゴ６の上部外周枠６１をピン１の頭部１１の軸部１２側の面、及び、ベースプレート２の側壁部２３に係合させ（引っ掛け）たものであるので、上記シンク４へのピン固定構造による水漏れ事象の防止効果を備えて、かつ、洗剤等置き用カゴ６をシンク４の内壁面へ着脱自在に垂設することができる固定構造となる。
【００２２】
以下、本発明に係るシンクへのピン固定構造Ａと、これを備えたシンクへの洗剤等置き用収納体固定構造の作り出し方を、図１〜図３を参照しつつ簡単に説明する。
【００２３】
まず、図１および図２に示すように、所定の大きさの切り板状のベースプレート２を、貫通させようとするピン１の頭部１１の幅（直径）を考慮し、頂部２１の幅を決定して、頂部２１と鍔部としてのシール部２２とを有する断面略ハット型にプレス加工する。同時に、シール部２２の大きさを、シンク４の美感に影響が及ばない程度に、パッキン３の大きさと同等になるようにする。また、プレス加工した断面略ハット型のベースプレート２の頂部２１には、ピン１の軸部１２が貫通するための貫通孔を形成する。同様に、パッキン３にもピン１の軸部１２が貫通するための貫通孔を形成する。
次に、プレス加工した断面略ハット型のベースプレート２のシール部２２側に、パッキン３を取り付け、このうちパッキン３側を、ピン１の軸部１２が貫通するための貫通孔が形成されたシンク４のデッキ部４１の表面へ、それぞれの貫通孔が同一軸上にくるようにして載置し、さらに、これらの貫通孔にピン１の軸部１２を貫通させ、ピン１の軸部１２の先端がシンク４のデッキ部４１の裏面側に現れるようにする。
最後に、シンク４のデッキ部４１の裏面側からナット５で締め付け、ピン１の頭部１１による荷重をベースプレート２の頂部２１、側壁部２３を介してシール部２２に伝え、シール部２２の面全体でパッキン３をシンク４のデッキ部４１に圧迫し、ピン１をシンクのデッキ部４１へ固定する。続いて、線材を加工して作られた洗剤等置き用カゴ６の上部外周枠６１をピン１の頭部１１の軸部１２側の面及びベースプレート２の側壁部２３に引っ掛けることにより、図３に示すように、洗剤等置き用収納体６をシンク４の内壁面へ着脱自在に垂設すればよい。
【００２４】
そうすると、本発明に係るシンクへのピン固定構造Ａでは、ナット５を締め付ければ、ベースプレート２が断面略ハット型であって、自身の強度向上により変形が生じにくくなるとともに、パッキン３がベースプレート２のシール部２２の面全体でシンク４のデッキ部４１に圧迫されるため、パッキン３のシール性が十分に発揮されるようになる。特に、図１および図２に示すように、ピン１の頭部１１の幅としての直径を、ベースプレート２の頂部２１の幅よりも大きいものとすれば、洗剤等置き用カゴ６をベースプレート２の側壁部２３へ引っ掛けやすくなるほか、ナット５による締め付ける力をそのままシール部２２に伝えることができる。また、ベースプレート２のシール部２２側の大きさと、パッキン３の大きさとを同等にすることで、シンク４の美感に影響が及ぶこともなくなる。
【００２５】
さらに、図３に示すように、このようなシンクへのピン固定構造Ａに対し、線材を加工して作られた洗剤等置き用カゴ６の上部外周枠６１をピン１の頭部１１の軸部１２側の面、及び、ベースプレート２の側壁部２３に引っ掛けることで、シンクへのピン固定構造Ａによる水漏れ事象の防止効果を備えて、洗剤等置き用カゴ６をシンク４の内壁面へ着脱自在に垂設することができる。もちろん、このように固定した洗剤等置き用カゴ６は、シンク４内壁に安定して垂設することができるので、容易に移動しないように固定されるものとなる。
【００２６】
このように、本発明は、ベースプレート２に関し、断面略ハット型にプレス加工したものを採用することで、変形を防止し、パッキン３のシール性を確実に発揮させることができ、水漏れという事象を極めて有効に防止することができ、強度確保のために厚みを大きくする必要もなくなって、コスト低減にもつながるものとすることができる。さらに、このようなシンクへのピン固定構造Ａによる水漏れ事象の防止効果を備えて、洗剤等置き用収納体６をシンク４の内壁面へ着脱自在かつ容易に垂設することができる。
【００２７】
以上、本発明の実施形態の一つを詳述したが、本発明は、これに限定されるものではない。そして、本発明は、特許請求の範囲に記載された事項を逸脱することがなければ、種々の設計変更を行うことが可能である。例えば、頭部を有するピン、プレス加工前のベースプレートや、パッキン、ナット、デッキ部を上面とするシンクは、それぞれ公知または周知の技術手段によって達成することができる。
また例えば、洗剤等置き用収納体は、上述の実施形態では、線材を加工して作られた洗剤等置き用カゴを例示して説明したが、シンクへのピン固定構造におけるピンの頭部、及び／又は、ベースプレートに係合させることができるものであるかぎり、様々な形態の収納体をシンクの内壁面に容易に移動しないように固定することができて、着脱自在に垂設することができるものである。
【符号の説明】
【００２８】
１・・・ピン
１１・・頭部
１２・・軸部
２・・・ベースプレート
２１・・頂部
２２・・シール部（鍔部）
２３・・側壁部
３・・・パッキン
４・・・シンク
４１・・シンクのデッキ部
５・・・ナット
６・・・洗剤等置き用カゴ（洗剤等置き用収納体）
６１・・上部外周枠
１０・・ピン（従来品）
１１０・頭部（従来品）
２０・・ベースプレート（従来品）
２０１・荷重領域
２０２・非荷重領域
２０３・変形部
Ａ・・・シンクへのピン固定構造
【図１】
2011052392.tif 000003
【図２】
2011052392.tif 000004
【図３】
2011052392.tif 000005
【図４】
2011052392.tif 000006